(57)【特許請求の範囲】
【請求項１】
一方側連結端部を有する一の開閉体構成部材および前記一方側連結端部と回動可能に連結された他方側連結端部を有する他の開閉体構成部材を備え、開口部を開閉する開閉体と、
この開閉体に取り付けられた移動規制体と、
巻取方向への回転に基づいて前記開閉体が外周面に巻き取られ、巻戻方向への回転に基づいて前記開閉体が外周面から巻き戻される回転可能な巻取体と、
前記開閉体の挿入端部を案内する案内溝部を有する案内体とを具備し、
前記移動規制体は、
前記一の開閉体構成部材に取り付けられた取付部と、
前記一方側連結端部および前記他方側連結端部に形成された切欠部に嵌入され、前記他の開閉体構成部材の前記一の開閉体構成部材に対する側方移動を規制する移動規制部とを備える開閉装置であって、
前記移動規制体は、
前記開口部の閉鎖時であっても前記案内体の案内溝部内に挿入されずに前記巻取体の外周面に接触する１巻目の開閉体構成部材に取り付けられている
ことを特徴とする開閉装置。
【請求項２】
巻取体は、収容体のブラケットによって支持され、
移動規制体の移動規制部は、切欠部に遊嵌状態に嵌入され、
開閉体構成部材の側方移動が、前記ブラケットに接触しない範囲内となっている
ことを特徴とする請求項１記載の開閉装置。
【請求項３】
移動規制体の取付部は、開閉体構成部材における巻取体と対向する側の表面に取り付けられている
ことを特徴とする請求項１または２記載の開閉装置。
【請求項４】
巻取体の外周面に取り付けられた吊元部材と、
この吊元部材に回動可能に連結された１枚目の開閉体構成部材の前記吊元部材に対する側方移動を規制する側方移動規制体とを具備し、
前記側方移動規制体は、前記１枚目の開閉体構成部材の長手方向両端部に取り付けられている
ことを特徴とする請求項１ないし３のいずれか一記載の開閉装置。
【請求項５】
移動規制体は、一の開閉体構成部材の一方側連結端部の被載置部に面状に接触した状態として載置された面状の載置部を備え、
前記移動規制体の取付部の下面のうち、移動規制部が設けられていない部分が前記載置部となっている
ことを特徴とする請求項１ないし４のいずれか一記載の開閉装置。
【請求項６】
移動規制体の移動規制部は、取付部の下面側のみに設けられている
ことを特徴とする請求項１ないし５のいずれか一記載の開閉装置。
【発明の詳細な説明】
【技術分野】
【０００１】
本発明は、開閉体構成部材の側方移動を規制する移動規制体を備えた開閉装置に関する。
【背景技術】
【０００２】
従来、例えば特許文献１に記載された開閉装置が知られている。
【０００３】
この従来の開閉装置は、巻取体に巻き取られる開閉体（シャッターカーテン）の１巻目の開閉体構成部材（シャッタースラット）が２巻目の開閉体構成部材より短く形成され、巻取体には１巻目の開閉体構成部材の側方に２巻目の開閉体構成部材を支持する左右１対の支持部材が設けられた構成となっている。
【先行技術文献】
【特許文献】
【０００４】
【特許文献１】特開２００９−４１１９１号公報（図１、図２等）
【発明の概要】
【発明が解決しようとする課題】
【０００５】
そして、この従来の開閉装置では、左右１対の支持部材によって開閉体構成部材の側方移動（横流れ）を規制できるが、１巻目の開閉体構成部材を短く形成したり、支持部材を巻取体に設けたりするのに手間がかかるおそれがある。
【０００６】
そこで、取付作業が容易で、開閉体構成部材の側方移動を適切に規制できる移動規制体が求められていた。
【０００７】
本発明は、このような点に鑑みなされたもので、取付作業が容易で、開閉体構成部材の側方移動を適切に規制できる移動規制体を備えた開閉装置を提供することを目的とする。
【課題を解決するための手段】
【０００８】
請求項１記載の開閉装置は、一方側連結端部を有する一の開閉体構成部材および前記一方側連結端部と回動可能に連結された他方側連結端部を有する他の開閉体構成部材を備え、開口部を開閉する開閉体と、この開閉体に取り付けられた移動規制体と、巻取方向への回転に基づいて前記開閉体が外周面に巻き取られ、巻戻方向への回転に基づいて前記開閉体が外周面から巻き戻される回転可能な巻取体と、前記開閉体の挿入端部を案内する案内溝部を有する案内体とを具備し、前記移動規制体は、前記一の開閉体構成部材に取り付けられた取付部と、前記一方側連結端部および前記他方側連結端部に形成された切欠部に嵌入され、前記他の開閉体構成部材の前記一の開閉体構成部材に対する側方移動を規制する移動規制部とを備える開閉装置であって、前記移動規制体は、前記開口部の閉鎖時であっても前記案内体の案内溝部内に挿入されずに前記巻取体の外周面に接触する１巻目の開閉体構成部材に取り付けられているものである。
【０００９】
請求項２記載の開閉装置は、請求項１記載の開閉装置において、巻取体は、収容体のブラケットによって支持され、移動規制体の移動規制部は、切欠部に遊嵌状態に嵌入され、開閉体構成部材の側方移動が、前記ブラケットに接触しない範囲内となっているものである。
【００１０】
請求項３記載の開閉装置は、請求項１または２記載の開閉装置において、移動規制体の取付部は、開閉体構成部材における巻取体と対向する側の表面に取り付けられているものである。
【００１１】
請求項４記載の開閉装置は、請求項１ないし３のいずれか一記載の開閉装置において、巻取体の外周面に取り付けられた吊元部材と、この吊元部材に回動可能に連結された１枚目の開閉体構成部材の前記吊元部材に対する側方移動を規制する側方移動規制体とを具備し、前記側方移動規制体は、前記１枚目の開閉体構成部材の長手方向両端部に取り付けられているものである。
【００１２】
請求項５記載の開閉装置は、請求項１ないし４のいずれか一記載の開閉装置において、移動規制体は、一の開閉体構成部材の一方側連結端部の被載置部に面状に接触した状態として載置された面状の載置部を備え、前記移動規制体の取付部の下面のうち、移動規制部が設けられていない部分が前記載置部となっているものである。
【００１３】
請求項６記載の開閉装置は、請求項１ないし５のいずれか一記載の開閉装置において、移動規制体の移動規制部は、取付部の下面側のみに設けられているものである。
【発明の効果】
【００１４】
本発明によれば、移動規制体の取付作業が容易であるばかりでなく、移動規制体にて開閉体構成部材の側方移動を適切に規制できる。
【図面の簡単な説明】
【００１５】
【図１】本発明の一実施の形態の開閉装置の開閉体構成部材および移動規制体（中間フック）の断面図である。
【図２】同上開閉装置の開閉体が巻き取られた状態を示す側面図である。
【図３】同上開閉装置の室内側からみた正面図である。
【図４】同上開閉装置の巻取体の正面図である。
【図５】同上開閉装置の移動規制体の斜視図である。
【図６】同上開閉装置の移動規制体の正面図である。
【図７】同上開閉装置の移動規制体の側面図である。
【図８】同上開閉装置の側方移動規制体（シャフトフック）の正面図である。
【図９】同上開閉装置の側方移動規制体の底面図である。
【図１０】同上開閉装置の側方移動規制体の側面図である。
【図１１】同上移動規制体の取付作業の説明図である。
【図１２】図１１に続く説明図である。
【図１３】図１２に続く説明図である。
【図１４】同上移動規制体の変形例を示す斜視図である。
【図１５】同上移動規制体の他の変形例を示す斜視図である。
【図１６】本発明の他の実施の形態の開閉装置の開閉体構成部材および移動規制体（中間フック）の断面図である。
【図１７】同上開閉装置の開閉体構成部材および移動規制体の斜視図である。
【図１８】同上開閉装置の移動規制体の斜視図である。
【図１９】同上開閉装置の移動規制体の正面図である。
【図２０】同上開閉装置の移動規制体の側面図である。
【図２１】同上開閉装置の側方移動規制体（シャフトフック）の正面図である。
【図２２】同上開閉装置の側方移動規制体の底面図である。
【図２３】同上開閉装置の側方移動規制体の側面図である。
【図２４】本発明のさらに他の実施の形態の開閉装置の開閉体構成部材および移動規制体（中間フック）の断面図である。
【図２５】同上開閉装置の開閉体構成部材および移動規制体の斜視図である。
【図２６】同上開閉装置の移動規制体の斜視図である。
【図２７】同上開閉装置の移動規制体の正面図である。
【図２８】同上開閉装置の移動規制体の側面図である。
【図２９】同上開閉装置の側方移動規制体（シャフトフック）の正面図である。
【図３０】同上開閉装置の側方移動規制体の底面図である。
【図３１】同上開閉装置の側方移動規制体の側面図である。
【発明を実施するための形態】
【００１６】
本発明の一実施の形態を図面を参照して説明する。
【００１７】
図３において、１は開閉装置で、この開閉装置１は、例えば住宅、店舗、工場等の建物に形成された開口部２を開閉する重量シャッター等のシャッタ装置である。
【００１８】
開閉装置１は、図３に示されるように、開口部２を介して互いに離間対向する上下方向長手状の左右１対のガイドレール等の案内体３を備えている。案内体３は、開口部２に向って開口する断面略コ字状の案内溝部４を有している。そして、両案内体３の下端部間には、左右方向長手状の被当接部である下枠体６が設けられている。
【００１９】
また、開閉装置１は、左右方向長手状で略箱状のシャッターボックス等の収容体７を備えている。収容体７内には、外周面が円筒面状をなす略円筒状の巻取シャフト等の巻取体８が左右方向の支軸９を中心として回転可能に設けられている。つまり、巻取体８は、収容体７の左右１対の側板部であるブラケット10によって支軸９を介して支持されている。
【００２０】
そして、一方のブラケット10には駆動手段である電動モータ11が固定され、この電動モータ11の出力軸12が減速ギア13，14を介して支軸９に接続されており、巻取体８は電動モータ11から出力される動力によって巻取方向および巻戻方向に回転する。
【００２１】
さらに、開閉装置１は、巻取体８に取り付けられこの巻取体８の回転に基づいて上下方向に移動つまり昇降して開口部２を開閉する略板状のシャッターカーテン等の開閉体16を備えている。
【００２２】
そして、開閉体16は、巻取体８の巻取方向への回転に基づいて巻取体８の外周面に巻き取られながら開移動方向に移動して開口部２を開口させる。また、開閉体16は、巻取体８の巻戻方向への回転に基づいて巻取体８から巻き戻されながら閉移動方向に移動して開口部２を閉鎖し、例えば室内側と室外側とを仕切る。なお、開閉体16は、開閉移動方向の移動時に案内体３の案内溝部４にて案内される挿入端部17を左右方向両端部に有している。
【００２３】
また、開閉体16は、開移動方向先端部（上端部）が巻取体８の外周面に吊元部材20を介して取り付けられ巻取体８の外周面に巻き戻し可能に巻き取られる開閉体本体部21と、この開閉体本体部21の閉移動方向先端部（下端部）に取り付けられ開口部２の閉鎖時に下枠体６に当接する左右方向長手状の当接部である幅木部22とを有している。
【００２４】
ここで、開閉体本体部21は、図１および図２に示されるように、上下に隣接するもの同士が互いに回動可能に連結された左右方向長手状で略板状をなす例えば金属製の複数の開閉体構成部材（シャッタースラット）23にて構成されている。なお、各開閉体構成部材23は、いずれも同一形状のものである。
【００２５】
そして、開閉体構成部材23は、長手方向略全長にわたって位置する曲板状の一方側連結端部24を短手方向一端部（図１では、下端部）に有し、長手方向略全長にわたって位置する曲板状の他方側連結端部25を短手方向他端部（図１では、上端部）に有している。つまり、開閉体構成部材23は、開口部２の閉鎖時に鉛直状に位置する平板状の本体板部26を有し、本体板部26の下端部にカール部である一方側連結端部24が室内側に向って突出状に一体に設けられ、本体板部26の上端部にカール部である他方側連結端部25が室内側に向って突出状に一体に設けられている。
【００２６】
互いに隣接する開閉体構成部材23中の一の開閉体構成部材23の一方側連結端部24と、互いに隣接する開閉体構成部材23中の他の開閉体構成部材23の他方側連結端部25とが、互いに回動可能に連結されている。
【００２７】
なお、開閉体本体部21の開移動方向先端部に位置する開閉体構成部材（開移動方向先頭である１枚目の開閉体構成部材）23の他方側連結端部25は、吊元部材20の曲板状の連結端部20aに回動可能に連結されている。吊元部材20の本体板部20bは、巻取体８の外周面に沿った円弧面状に形成され、この巻取体８の外周面に固定的に取り付けられている。開閉体本体部21の閉移動方向先端部に位置する開閉体構成部材23の一方側連結端部24は、幅木部22の曲板状の連結端部（図示せず）に回動可能に連結されている。
【００２８】
そして、吊元部材20に回動可能に連結された１枚目の開閉体構成部材23の長手方向両端部である左右方向両端部には、巻取体８の軸方向端部である側端面8aとの当接により、１枚目の開閉体構成部材23の吊元部材20に対する側方移動（横流れ）を規制する側方移動規制体（シャフトフック）31が取付手段である取付用ねじ32にて固定的に取り付けられている。
【００２９】
また、この１枚目の開閉体構成部材23の左右方向任意位置の１箇所には、２枚目の開閉体構成部材23の他方側連結端部25との当接により、２枚目の開閉体構成部材23の１枚目の開閉体構成部材23に対する左右側方移動（横流れ）、つまり左側方移動および右側方移動の両方を規制する移動規制体（中間フック）33が取付手段である取付用ねじ34にて固定的に取り付けられている。
【００３０】
また同様に、この２枚目の開閉体構成部材23の左右方向任意位置の１箇所には、３枚目の開閉体構成部材23の他方側連結端部25との当接により、３枚目の開閉体構成部材23の２枚目の開閉体構成部材23に対する左右側方移動（横流れ）、つまり左側方移動および右側方移動の両方を規制する移動規制体（中間フック）33が取付手段である取付用ねじ34にて固定的に取り付けられている。
【００３１】
そして、３枚目、４枚目、５枚目の開閉体構成部材23にも、同様に、移動規制体33が取付用ねじ34にて固定的に取り付けられている。こうして、巻取体８の外周面に直接接触する１巻目の開閉体構成部材23には、左右方向に沿った横移動である左右両方への側方移動が生じないように、側方移動規制体31および移動規制体33が取り付けられている。
【００３２】
なお、少なくとも１巻目の各開閉体構成部材23は、開口部２の閉鎖時であっても、収容体７内に位置するため、外部に露出せず、案内体３の案内溝部４内にも挿入されない。
【００３３】
また、取付手段である取付用ねじ32，34は、いずれも板状の頭部35と、外周面にねじ溝が形成された軸部36とに構成されている。なお、ねじ止めではなく、リベット結合或いは溶接等によって取り付けるようにしてもよい。
【００３４】
ここで、移動規制体33は、図５ないし図７に示されるように、開閉体構成部材23に対応する形状のもので、開閉体16の開閉体本体部21が巻取体８の外周面に巻き取られる際に他方側連結端部25の一方側連結端部24に対する回動を許容する形状に形成されている。
【００３５】
移動規制体33は、互いに隣接する開閉体構成部材23中の一の開閉体構成部材23の本体板部26に取付用ねじ34にて固定的に取り付けられる取付部41と、一方側連結端部24および他方側連結端部25に形成された切欠部40に嵌入され互いに隣接する開閉体構成部材23中の他の開閉体構成部材23の一の開閉体構成部材23に対する側方移動（つまり左側方移動および右側方移動）を規制する移動規制部42とを備えている。
【００３６】
取付部41は、前面視（正面視）で左右方向にやや細長い略矩形状をなすもので、開閉体構成部材23よりも厚い所定の厚さ寸法をもつ厚板状に形成されている。取付部41の左右方向中央部および左右方向両端側には、取付用ねじ34が螺合されるねじ孔部分43が前後面に貫通して形成されている。
【００３７】
取付部41の前面（例えば一方側の面、つまり開閉体構成部材23側とは反対側の面）は、上から順に位置する第１面46、第２面47および第３面48にて構成されている。第１面46よび第３面48は上端から下端に向うに従って徐々に前方に向う傾斜状に位置し、第２面47は第１面46と第３面48との間で鉛直状に位置する。
【００３８】
取付部41の後面（例えば他方側の面、つまり開閉体構成部材23側の面）は、上から順に位置する第１面（取付面）51および第２面52にて構成されている。第１面51は鉛直状に位置し、第２面52は前面の第１面46および第３面48と平行な面で上端から下端に向うに従って徐々に前方に向う傾斜状に位置する。そして、取付用ねじ34が一の開閉体構成部材23の本体板部26の取付用孔26aおよび取付部41のねじ孔部分43に螺合されることにより、取付部41の後面の第１面51が本体板部26の前面に面状に接触した状態として固定的に取り付けられる。
【００３９】
移動規制部42は、取付部41の水平状の下面の左右方向中央部に下斜め前方に向って突出するように一体に設けられている。そして、その取付部41の下面のうち移動規制部42が設けられていない左右両側の部分が一の開閉体構成部材23の一方側連結端部24の被載置部24aに面状に接触した状態として載置される面状の載置部55となっている。このため、取付部41は、左右１対の載置部55が被載置部24aに載置されて位置決めされた状態で一の開閉体構成部材23の本体板部26に取り付けられる。
【００４０】
移動規制部42は、前面視（正面視）で上下方向にやや細長い略矩形状をなすもので、取付部41と同様、開閉体構成部材23よりも厚い所定の厚さ寸法をもつ厚板状に形成されている。
【００４１】
移動規制部42の前面（例えば一方側の面、つまり開閉体構成部材23側とは反対側の面）は、上から順に位置する第１面56および第２面57にて構成されている。第１面56は取付部41の前面の第３面48と同一面上に連続して位置するように上端から下端に向うに従って徐々に前方に向う傾斜状に位置し、第２面57は上端から下端に向うに従って徐々に後方に向う傾斜状に位置する。
【００４２】
移動規制部42の後面（例えば他方側の面、つまり開閉体構成部材23側の面）は、第１面60のみにて構成されている。この第１面60は、取付部41の後面の第２面52と同一面上に連続して位置するように上端から下端に向うに従って徐々に前方に向う傾斜状に位置する。
【００４３】
また、側方移動規制体31は、図８ないし図１０に示されるように、開閉体構成部材23に対応する形状のものである。
【００４４】
側方移動規制体31は、開閉体構成部材23の本体板部26の左右方向端部に取付用ねじ32にて固定的に取り付けられる略矩形状で平板状の取付板部61と、この取付板部61の端部に折曲げにより一体に設けられ巻取体８の軸方向端面である側端面8aとの当接（引掛り）により開閉体構成部材23の吊元部材20に対する外側方移動を規制する略矩形状の移動規制板部62とを備えている。取付板部61には、複数（例えば３つ）のねじ孔部分63が前後面に貫通して形成されている。
【００４５】
そして、取付用ねじ32が開閉体構成部材23の本体板部26の取付用孔（図示せず）および取付板部61のねじ孔部分63に螺合されることにより、取付板部61の後面が本体板部26の前面に面状に接触した状態として固定的に取り付けられる。
【００４６】
なお、図９に示す取付板部61と移動規制板部62とがなす角度θは、例えば１００度である。このため、図４に示すように、巻取体８が開閉体16の重さによって撓んだ場合であっても、移動規制板部62が巻取体８の外周面に当たらず、開閉体16が巻取体８の外周面に適切に巻き取られる。
【００４７】
次に、上記開閉装置１の作用等を説明する。
【００４８】
まず、側方移動規制体31および移動規制体33の取付作業について説明する。
【００４９】
例えば通常の開閉装置１は、工場から出荷される際には、側方移動規制体31および移動規制体33は、開閉体16に取り付けられていない。なお、予め工場で、規制体31，33を取り付けるようにしてもよい。
【００５０】
そして、施工現場での開閉装置１の設置後、開閉装置１の長期使用により開閉体16の開閉動作を繰り返していると、巻取体８の撓み等に基づき２巻目の開閉体構成部材23が左右いずれかの片側のみで１巻目の開閉体構成部材23に接触して水平方向の分力が発生すること等に起因して、１巻目の開閉体構成部材23に側方移動（横流れ）が生じ、１巻目の開閉体構成部材23の左右方向端部が収容体７のブラケット10に接触する不具合が発生する場合がある。
【００５１】
このような場合に、作業者は、施工現場で、その横流れの発生を防止する側方移動規制体31および移動規制体33を開閉体16に後付けする。
【００５２】
すなわち例えば作業者は、１巻目の複数、例えば５枚の開閉体構成部材23の各本体板部26が鉛直状に位置するまで、開閉体16を巻取体８から最大限に巻き戻した後、例えば収容体７の点検用開口部（図示せず）を開口させて、規制体31，33の取付作業を行う。この際、施工現場での天井はつり作業や巻取体８を収容体７内から取り出す作業等は不要である。
【００５３】
具体的には、作業者は、側方移動規制体31を１枚目の開閉体構成部材23の本体板部26の左右方向両端部にそれぞれ取り付ける。
【００５４】
つまり、１枚目の開閉体構成部材23の本体板部26の左右方向両端部に取付用孔を形成した後、例えば室外側から取付用ねじ32を本体板部26の取付用孔および取付板部61のねじ孔部分63に螺合することにより、取付板部61の後面を本体板部26の前面（巻取体８の外周面と対向する側の面）に面状に接触させた状態として固定的に取り付ける。
【００５５】
また、作業者は、移動規制体33を１枚目ないし５枚目の開閉体構成部材23の各本体板部26にそれぞれ取り付ける。
【００５６】
つまり、まず、作業者は、例えば室内側から切断具等を用いて、図１１に示す状態の開閉体構成部材23の左右方向任意位置の一部を切断除去し、図１２に示すように、互いに回動可能に連結された一方側連結端部24および他方側連結端部25に切欠部40を形成する。
【００５７】
この切欠部40の左右方向長さ寸法は、移動規制部42の左右方向長さ寸法と略同じである。なお、切欠部40の左右方向長さ寸法が移動規制部42の左右方向長さ寸法よりも小さく、移動規制部42が切欠部40に押し込まれるようにして嵌入される構成でもよく、また、切欠部40の左右方向長さ寸法が移動規制部42の左右方向長さ寸法よりも少し大きく、移動規制部42が切欠部40に遊嵌状態に嵌入される構成でもよい。この場合、開閉体構成部材23の側方移動が若干許容されることになるが、ブラケット10に接触しない範囲内であれば問題ない。
【００５８】
次いで、図１３に示すように、作業者は、例えば上方側から移動規制部42を切欠部40に嵌入するとともに、左右の載置部55を一方側連結端部24の被載置部24aに載置する。こうして、移動規制体33は、取り付けられるべき開閉体構成部材23に対して所望位置に位置決めされる。
【００５９】
続いて、作業者は、開閉体構成部材23の本体板部26のうち取付部41のねじ孔部分43と対応する箇所に取付用孔26aを形成した後、例えば室外側から取付用ねじ34を本体板部26の取付用孔26aおよび取付部41のねじ孔部分43に螺合することにより、取付部41の後面の第１面51を本体板部26の前面（巻取体８の外周面と対向する側の面）に面状に接触させた状態として固定的に取り付ける。
【００６０】
この状態時において、図１に示されるように、移動規制部42の左右両側面は、連結端部24，25のうち切欠部40に臨んだ側端面と接触（略接触も含む）して対向し、かつ、移動規制部42の後面の第１面60は、他方側連結端部25のうち切欠部40に臨んだ上端面と回動許容用間隙39を介して対向する。
【００６１】
そして、この回動許容用間隙39の存在によって一方側連結端部24の他方側連結端部25に対する回動が許容されるため、移動規制体33が取り付けられても、取付前と同じように開閉体構成部材23は巻取体８の外周面に巻き取られる。
【００６２】
また、開閉体構成部材23の左側方移動および右側方移動は、左右両側の側方移動規制体31の移動規制板部62と移動規制体33の移動規制部42とにてよって規制される。
【００６３】
そして、このような開閉装置１によれば、施工現場における側方移動規制体31および移動規制体33の取付作業が容易で、かつ、この取り付けた側方移動規制体31および移動規制体33にて１巻目の開閉体構成部材33の側方移動を適切に規制でき、よって、開閉体構成部材23の左右方向端部がブラケット10に接触する不具合の発生を効果的に防止できる。
【００６４】
また、移動規制体33は一方側連結端部24の被載置部24aに載置される載置部55を備え、取付部41を載置部55が被載置部24aに載置された状態で開閉体構成部材23に取り付けることができるため、取付作業がより一層容易である。
【００６５】
さらに、移動規制体33の取付部41は取付用ねじ34が螺合されるねじ孔部分43を有するため、取付用ねじ34を利用して取付部41を容易かつ適切に取り付けることができる。
【００６６】
また、移動規制体33は、開閉体16が巻取体８の外周面に巻き取られる際に他方側連結端部25の一方側連結端部24に対する回動を許容する形状に形成されているため、移動規制体33が他方側連結端部25の回動の妨げとはならず、巻取体８は開閉体16を適切に巻き取ることができる。
【００６７】
なお、移動規制体33は、例えば金属材料或いは樹脂材料等にて一体に形成されたものには限定されず、製造コストの低減等のために、例えば図１４に示すように、薄板状の第１部材71と、厚板状の第２部材72とにて構成されたものでもよい。
【００６８】
第１部材71は、前面視（正面視）で左右方向にやや細長い略矩形状をなす第１板部73と、第１板部73の下端部の左右方向中央部から下斜め前方に向って突出する第２板部74と、第１板部73の下端部の左右方向両端側から前方に向って水平状に突出する第３板部75とを有している。第１板部73には複数（例えば３つ）の孔部76が形成され、第２板部74には複数（例えば２つ）の孔部77が形成されている。また、第２部材72には、複数（例えば２つ）の孔部78が形成されている。
【００６９】
そして、一の開閉体構成部材23に取り付けられる取付部41が、第１部材71の第１板部73にて構成されている。第１板部73は、孔部76を利用してねじやリベット等の取付手段によって開閉体構成部材23に取り付けられる。なお、第１板部73を溶接等により取り付けるようにしてもよい。
【００７０】
また、一の開閉体構成部材23の一方側連結端部24の被載置部24aに載置される載置部55が、第１部材71の第３板部75にて構成されている。さらに、第２部材72は、孔部77，78を利用してねじやリベット等の取付手段（溶接等でもよい）によって第１部材71の第２板部74に取り付けられる。そして、これら第２部材72および第２板部74にて、切欠部40に嵌入され他の開閉体構成部材23の一の開閉体構成部材23に対する側方移動を規制する移動規制部42が構成される。
【００７１】
また、例えば図１５に示すように、製造コストのより一層の低減等のために、第１部材71が左右の第３板部75を有しない構成でもよい。この場合、第１部材71の第１板部73の下端部のうち第２板部74が設けられていない部分が載置部55となっている。
【００７２】
さらに、開閉体構成部材23は、種々の形状のものがあり、それに対応した種々の形状の規制体31，33を用いる。
【００７３】
例えば図１６および図１７に示す形状の開閉体構成部材23の場合には、図１８ないし図２０に示す形状の移動規制体33を用い、図２１ないし図２３に示す形状の側方移動規制体31を用いる。そして、これら規制体31，33を用いた場合、上記実施の形態と同様の作用効果を奏することができる。
【００７４】
図１８ないし図２０に示す形状の移動規制体33の取付部41の前面は、上から順に位置する第１面81および第２面82にて構成されている。第１面81は上端から下端に向うに従って徐々に前方に向う傾斜状に位置し、第２面82は鉛直状に位置する。取付部41の後面は、上から順に位置する第１面（取付面）83、第２面84および第３面85にて構成されている。第１面83は鉛直状に位置し、第２面84は上端から下端に向うに従って徐々に前方に向う傾斜状に位置し、第３面85は鉛直状に位置する。
【００７５】
また、この移動規制体33の移動規制部42の前面は第１面86のみにて構成され、この第１面86は取付部41の前面の第２面82と同一面上に連続して位置するように鉛直状に位置する。移動規制部42の後面は第１面87のみにて構成され、この第１面87は取付部41の後面の第３面85と同一面上に連続して位置するように鉛直状に位置する。なお、移動規制部42の下面は、他方側連結端部25のうち切欠部40に臨んだ上端面と回動許容用間隙39を介して対向する。
【００７６】
図２１ないし図２３に示す形状の側方移動規制体31は、図８ないし図１０に示す形状の側方移動規制体31に比べて、上下方向寸法が少し短くなっている。
【００７７】
また、例えば図２４および図２５に示す形状の開閉体構成部材23の場合には、図２６ないし図２８に示す形状の移動規制体33を用い、図２９ないし図３１に示す形状の側方移動規制体31を用いる。そして、これら規制体31，33を用いた場合、上記実施の形態と同様の作用効果を奏することができる。
【００７８】
図２６ないし図２８に示す形状の移動規制体33の取付部41の前面は、上から順に位置する第１面91および第２面92にて構成されている。第１面91は鉛直状に位置し、第２面92は上端から下端に向うに従って徐々に前方に向う傾斜状に位置する。取付部41の後面は、上から順に位置する第１面（取付面）93および第２面94にて構成されている。第１面93は上端から下端に向うに従って徐々に後方に向う傾斜状に位置し、第２面94は上端から下端に向うに従って徐々に前方に向う傾斜状に位置する。
【００７９】
また、この移動規制体33の移動規制部42の前面は第１面96のみにて構成され、この第１面96は鉛直状に位置する。移動規制部42の後面は、上から順に位置する第１面97および第２面98にて構成されている。第１面97は鉛直状に位置し、第２面98は上端から下端に向うに従って徐々に前方に向う傾斜状に位置する。なお、移動規制部42の下面は、他方側連結端部25のうち切欠部40に臨んだ上端面と回動許容用間隙39を介して対向する。
【００８０】
図２９ないし図３１に示す形状の側方移動規制体31は、取付板部61が略く字状に折り曲げられ、移動規制板部62が二股状に形成されている。つまり、この移動規制板62は、間隙101を介して互いに離間対向する板部102にて構成されている。
【００８１】
なお、図１８に示す移動規制体33や図２６に示す移動規制体33についても、１部材からなるものには限定されず、製造コストの低減等のために、薄板状の第１部材と厚板状の第２部材とにて構成するようにしてよい（図１４、図１５参照）。
【００８２】
また、規制体31，33は、開閉体16の開閉体本体21を構成する任意の開閉体構成部材23に取付可能であり、横流れが生じた開閉体構成部材23のみに取り付けたり、横流れが生じた開閉体構成部材23およびこれに隣接する開閉体構成部材23のみに取り付けたり、１巻目以外のものに取り付けたりしてもよい。
【００８３】
さらに、吊元部材20に移動規制体33を取り付け、この移動規制体33にて１枚目の開閉体構成部材23の吊元部材20に対する側方移動を規制するようにしてもよい。
【００８４】
また、側方移動規制体31および移動規制体33の両方を用いた場合について説明したが、例えば移動規制体33のみを用いた構成でもよい。
【００８５】
さらに、施工現場で切欠部40を形成する必要がないように、例えば製造工場で予め切欠部40を形成しておくようにしてもよい。
【００８６】
また、横流れ防止のためのかしめ部および切欠を開閉体構成部材23の左右方向端部に形成してもよく、また、そのかしめ部が破損した場合に、かしめ部の代わりとして、開閉体構成部材23の側端から突出しないように一部を切断除去した略Ｌ字状の移動規制体33を開閉体構成部材23の左右方向端部に取り付けるようにしてもよい。
【００８７】
さらに、開閉装置１は、建物の開口部２の周囲等に固定された重量シャッター等のシャッタ装置には限定されず、例えば図示しないが、その他の開口部の周囲に固定された他のシャッタ装置、ブラインド装置等或いはこれら装置のうちの同種または異種を複数並設したもの等でもよい。
【００８８】
また、移動規制体（中間フック）33が取り付けられる開閉体構成部材（スラット）23の枚目は任意である。
【００８９】
さらに、移動規制体33が取り付けられる開閉体構成部材23の位置は端部が好ましいが、任意である。なお、端部の場合、開閉体構成部材23が横流れする側に設けられるのが好ましい。また、端部の場合、開閉体構成部材23の開閉移動に支障がなければ、移動規制体33の全体または一部分、さらには複数の移動規制体33の全部または一部が案内溝部４内に挿入されていてもよい。
【００９０】
また、取付用ねじ32，34等の取付手段の頭部35がスラット面、つまり開閉体構成部材23の表面（例えば室外側に臨んだ面、或いは室内側に臨んだ面等）から突出しないように、開閉体構成部材23の表面に頭部35が挿入される凹部を設けてもよい。すなわち、移動規制体33が取り付けられる側とは反対側のスラット面に取付手段が突出するのを避けるように構成してもよい。
【００９１】
さらに、連結端部24，25の回動を許容できれば、移動規制体33の形状や取付方法は任意である。すなわち例えば取付部41と移動規制部42との位置関係を図１３とは上下反対にして、取付部41を下側の開閉体構成部材23に取り付けるようにしてもよい。また、移動規制体33が取付部41を２つ備え、これら２つの取付部41を互いに隣接する開閉体構成部材23にそれぞれ取り付けるようにしてもよい。なお、この場合には、移動規制体33を若干の伸縮性や可撓性を有する例えばばね鋼材等の部材にて形成する必要がある。
【００９２】
また、開閉体16の１巻目において巻取体８に当接するのは開閉体構成部材23のカール部であり、移動規制体33は巻取体８に多くとも接触するのみ（換言すれば、巻取体８に当接しないか、または接触するのみであって、カール部が巻取体８に当接できないほど突出していない）となるように構成していて、１巻目にのみ移動規制体33を取り付けている。しかし、この場合に限定されず、次のように構成してもよい。
【００９３】
すなわち例えば、開閉体16の１巻目のみならず、２巻目（もっと多くてもよい）にも移動規制体33を取り付けた構成でもよい。この場合、カール部が巻取体８ではなく開閉体構成部材23に当接するようになるので、移動規制体33は開閉体構成部材23に多くとも接触するのみとする構成であることが好ましい。
【００９４】
また例えば、開閉体構成部材23の巻き方を図２とは反対にして、１巻目を開閉体構成部材23の表面（スラット面）が巻取体８に当接するようにした構成でもよい。この場合、移動規制体33が巻取体８ではなく２巻目以上の開閉体構成部材23の表面（または場合によってはカール部）に当接するようになるので、移動規制体33は開閉体構成部材23の表面（カール部）に多くとも接触するのみとする構成であることが好ましい。
【符号の説明】
【００９５】
１    開閉装置
２ 開口部
３ 案内体
４ 案内溝部
７ 収容体
８    巻取体
10 ブラケット
16    開閉体
17 挿入端部
20 吊元部材
23    開閉体構成部材
24    一方側連結端部
24a   被載置部
25    他方側連結端部
31 側方移動規制体
33    移動規制体
40    切欠部
41    取付部
42    移動規制部
55    載置部
【図１】
0005595742.tif 000002
【図２】
0005595742.tif 000003
【図３】
0005595742.tif 000004
【図４】
0005595742.tif 000005
【図５】
0005595742.tif 000006
【図６】
0005595742.tif 000007
【図７】
0005595742.tif 000008
【図８】
0005595742.tif 000009
【図９】
0005595742.tif 000010
【図１０】
0005595742.tif 000011
【図１１】
0005595742.tif 000012
【図１２】
0005595742.tif 000013
【図１３】
0005595742.tif 000014
【図１４】
0005595742.tif 000015
【図１５】
0005595742.tif 000016
【図１６】
0005595742.tif 000017
【図１７】
0005595742.tif 000018
【図１８】
0005595742.tif 000019
【図１９】
0005595742.tif 000020
【図２０】
0005595742.tif 000021
【図２１】
0005595742.tif 000022
【図２２】
0005595742.tif 000023
【図２３】
0005595742.tif 000024
【図２４】
0005595742.tif 000025
【図２５】
0005595742.tif 000026
【図２６】
0005595742.tif 000027
【図２７】
0005595742.tif 000028
【図２８】
0005595742.tif 000029
【図２９】
0005595742.tif 000030
【図３０】
0005595742.tif 000031
【図３１】
0005595742.tif 000032